(57)【要約】【課題】両足を揃えて仰向けに寝た状態で、骨格を簡単に矯正することのできる骨格矯正装置を提供する。【解決手段】両足を揃えて仰向けに寝た状態の当該両足を保持する保持手段１と、この保持手段１を駆動させて両足の踵を支点につま先側を揺動捻転させる揺動手段１０とを備えた。【選択図】　　　図１
2004049703.tif 000002
【特許請求の範囲】
【請求項１】
両足を揃えて仰向けに寝た状態の当該両足を保持する保持手段と、この保持手段を駆動させて両足の踵を支点につま先側を揺動捻転させる揺動手段とを備えたことを特徴とする骨格矯正装置。
【請求項２】
上記保持手段が両足の足裏のつま先側を当接させる当接板と、この当接板に両足のつま先側を固定する固定手段とを備えたことを特徴とする請求項１記載の骨格矯正装置。
【請求項３】
上記当接板が足首の角度を調節自在に傾動することを特徴とする請求項２記載の骨格矯正装置。
【請求項４】
両足を揃えて仰向けに寝た状態の当該両足の足首近傍を上から押さえる保持手段と、この保持手段を水平移動させて両足の踵を支点につま先側を揺動捻転させる揺動手段とを備えたことを特徴とする骨格矯正装置。
【発明の詳細な説明】
【０００１】
【発明の属する技術分野】
本発明は、両足を揃えて仰向けに寝た状態で、骨格を簡単に矯正することのできる骨格矯正装置に関する。
【０００２】
【従来の技術】
一般に、両足を揃えて仰向けに寝た状態の当該両足を、水平面内を揺動する揺動板に載せて、この揺動板を揺動させることにより、筋肉の緊張を解く構成としたいわゆる金魚運動を行う器具が知られている。
【０００３】
【発明が解決しようとする課題】
しかし、この種のものでは、身体を揺動することで背骨を左右に揺動させているが、正しい姿勢への矯正ができない。
【０００４】
そこで、本発明の目的は、上述した従来の技術が有する課題を解消し、両足を揃えて仰向けに寝た状態で、骨格を簡単に矯正することのできる骨格矯正装置を提供することにある。
【０００５】
【課題を解決するための手段】
請求項１記載の発明は、両足を揃えて仰向けに寝た状態の当該両足を保持する保持手段と、この保持手段を駆動させて両足の踵を支点につま先側を揺動捻転させる揺動手段とを備えたことを特徴とする。
【０００６】
請求項２記載の発明は、請求項１記載のものにおいて、上記保持手段が両足の足裏のつま先側を当接させる当接板と、この当接板に両足のつま先側を固定する固定手段とを備えたことを特徴とする。
【０００７】
請求項３記載の発明は、請求項２記載のものにおいて、上記当接板が足首の角度を調節自在に傾動することを特徴とする。
【０００８】
請求項４記載の発明は、両足を揃えて仰向けに寝た状態の当該両足の足首近傍を上から押さえる保持手段と、この保持手段を水平移動させて両足の踵を支点につま先側を揺動捻転させる揺動手段とを備えたことを特徴とする。
【０００９】
【発明の実施の形態】
以下、本発明の一実施形態を添付図面に従って説明する。
【００１０】
図１は、骨格矯正装置を示す図である。この骨格矯正装置３０は、両足を揃えて仰向けに寝た状態の当該両足を保持する保持手段１と、この保持手段１を駆動させて両足の踵を支点につま先側を揺動させる揺動手段１０とを備えて構成されている。この揺動手段１０は底板１２と、この底板１２上に固定された駆動ユニット１３とを備えて構成されている。この駆動ユニット１３は、図２に示すように、モータと減速機とを内蔵し、減速機の出力軸１３Ａには、回転板１４が連結され、この回転板１４には偏心軸１４Ａが固定されている。この偏心軸１４Ａには、揺動板１５が固定され、この揺動板１５は、図３に示すように、振り子角θ内を揺動自在に、その下端１５Ａが軸受け１６に支持されている。この軸受け１６は底板１２に固定されている。
【００１１】
揺動板１５の上端１５Ｂは、Ｌ字状に曲がり、その先端１５Ｃには丁番１７を介して当接板１８が連結されている。この当接板１８には、図１に示すように、両足を揃えて仰向けに寝た状態の両足足裏のつま先側が当接し、この当接板１８に当接した両足のつま先側は当接板１８に連結されたバンド１９を介して当接板１８にしっかりと固定される。
【００１２】
上記構成では、当接板１８が丁番１７を介して揺動板１５に連結されているため、足首角度θ１を調節自在である。
【００１３】
本実施形態では、図１に示すように、骨格矯正装置３０の当接板１８に両足のつま先側を、バンド１９を介して固定し、この状態で、肩、尻を床２１に密着させるようにして、当該床２１の上に仰向けに寝る。この場合、顔面と床面がほぼ平行になるように頭の下に枕２２を支うと共に、膝がまっすぐに伸びて、しかも過伸の痛みが出ないように、脚に力を入れて膝を伸ばしてから僅かに力を緩めた状態で、膝の下に座２３を敷くことが望ましい。また、両足足首を固定するために、両足足首間に固定バンド２４を巻くことが望ましい。両足の踵の下には高さ調整用の敷物２５が置かれる。
【００１４】
上述の状態で、骨格矯正装置３０のスイッチ（図示せず）がオンされると、図３に示すように、揺動板１５が振り子角θ内をゆっくりと揺動し、それに従って、当接板１８に保持された両足が、その踵を支点にしてつま先側を揺動させるように揺動捻転運動される。この振り子角θは、４°〜３５°に設定し、揺動速度は、６０回／分〜２５０回／分に設定することが望ましい。
【００１５】
振り子角θが大きすぎても小さすぎても、身体への捻れ伝達が阻害されるからである。また、揺動速度がゆっくりすぎると、捻れ伝達が例えば腰椎あたりで終了し、それが早すぎると、身体が防御反応を起こし、身体への捻れ伝達が阻害されるからである。上記各条件は、身体の症状によって変更できるようにすることが望ましい。捻転運動の振幅を小さく設定した場合、揺動速度を早めに設定し、その振幅を大きく設定した場合、揺動速度を遅めに設定する等して、身体の症状に応じた設定を行うことができる。
【００１６】
この構成では、両足の踵をついて仰向けに寝た状態で、リラックスした状態で、ゆっくりとした小さい角度の揺動或いは捻動運動が、両足から体全体を通じて頭頂部にまで伝達される。
【００１７】
このゆっくりとした捻転により、身体が防御反応を起こさず、筋肉、内臓器官等の細胞の緊張をゆるめ、血行を良好にし、代謝機能が活発化し、しかも骨格のゆがみが矯正される。
【００１８】
図４Ａ、図４Ｂは、別の実施形態を示す。
【００１９】
この実施形態では、両足を揃えて仰向けに寝た状態の当該両足の足首近傍を上から押さえる保持手段４１を備え、この保持手段４１を水平移動させる揺動手段４３を備えて構成される。
【００２０】
この揺動手段４３は駆動ユニット４４を備え、この駆動ユニット４４は、モータと減速機とを内蔵し、この減速機には、回転／往復運動変換機構（図示せず）を介して横振り運動する支持板４５が連結されている。この支持板４５にはバー４６が連結され、このバー４６の下面にはウレタン樹脂製の当て部材４７が固定されている。これらバー４６及び当て部材４７は、保持手段４１を構成している。なお、２４は、両足足首を固定する固定バンド、２５は両足の踵の下におかれた高さ調整用の敷物である。
【００２１】
本実施形態では、図４Ａに示すように、高さ調整用の敷物２５の上に両足を載せて、この両足の足首近傍の上に当て部材４７をあてるようにバー４６を配置させる。そして、肩、尻を床２１に密着させるようにして、当該床２１の上に仰向けに寝る。この場合、図１と同様に、顔面と床面がほぼ平行になるように頭の下に枕２２を支うと共に、膝がまっすぐに伸びて、しかも過伸の痛みが出ないように、脚に力を入れて膝を伸ばしてから僅かに力を緩めた状態で、膝の下に座２３を敷くことが望ましい。
【００２２】
上述の状態で、骨格矯正装置のスイッチ（図示せず）がオンされると、図４Ｂに示すように、バー４６がゆっくりとした横振り運動を開始する。
【００２３】
これに従って、上からバー４６で押さえられた両足が、その踵を支点にしてつま先側を揺動させるように揺動運動される。バー４６による横振り幅は、１．５ｃｍ〜３．５ｃｍに設定し、揺動速度は、６０回／分〜２５０回／分に設定することが望ましい。
【００２４】
この構成では、両足の踵をついて仰向けに寝た状態で、リラックスした状態で、ゆっくりとした小さい角度の揺動或いは捻動運動が、両足から体全体を通じて頭頂部にまで伝達される。
【００２５】
このゆっくりとした捻転により、身体が防御反応を起こさず、筋肉、内臓器官等の細胞の緊張をゆるめ、血行を良好にし、代謝機能が活発化し、しかも骨格のゆがみが矯正される。
【００２６】
人体には本来生理的湾曲（脊髄Ｓ状カーブ）があり、これによって背骨にかかる重力から開放されているが、重力に抗重力筋群が耐えられなくなると、脊柱のバランスが崩れて背骨がずれて不健康になるといわれている。
【００２７】
上記いずれの実施形態にあっても、小さいゆっくりの伝達運動により、抗重力筋群の緊張をゆるめることができる。
【００２８】
上記実施形態では、骨格矯正装置３０が小型、軽量化されるため、ハンディタイプのものになり、いずれの場所にも持ち運びが可能であり、据え置き型の従来のものに比べ、使い勝手が向上する。
【００２９】
以上、一実施形態に基づいて本発明を説明したが、本発明は、これに限定されるものでないことは明らかである。例えば、上記実施形態では、モータを駆動源としたが、これに限定されるものではない。また、商用電源利用に限らず、電池型式のものであってもよい。
【００３０】
【発明の効果】
この発明では、両足の踵をついて仰向けに寝た状態で、リラックスした状態で、ゆっくりとした小さい角度の揺動或いは捻動運動が、両足から体全体を通じて頭頂部にまで伝達されるため、この伝達運動によって、身体が防御反応を起こさず、筋肉、内臓器官等の細胞の緊張をゆるめ、血行を良好にし、代謝機能が活発化し、しかも骨格のゆがみを矯正することができる。
【図面の簡単な説明】
【図１】本発明による骨格矯正装置の一実施形態を示す図である。
【図２】骨格矯正装置の側面図である。
【図３】骨格矯正装置の端面図である。
【図４】Ａ及びＢは、別の実施形態を示す図である。
【符号の説明】
１，４１　保持手段
１０，４３　揺動手段
１２　底板
１３，４４　駆動ユニット
１８　当接板
１９　バンド
３０　骨格矯正装置
４６　バー
【図１】
2004049703.tif 000003
【図２】
2004049703.tif 000004
【図３】
2004049703.tif 000005
【図４】
2004049703.tif 000006